(57)【要約】【課題】見出しとその説明情報とを付箋として適切に印刷する。【解決手段】ユーザが閲覧中の書籍のページに記述されている分からない単語「vegetable」を検索文字列として見出し語検索すると、ユーザ指定の辞書［初級英和辞典］から検索された見出し語「vegetable」の説明情報画面Ｇが表示され、当該説明情報から選択された前記見出し語「vegetable」のカナ読み「ヴェヂタブル」の部分と意味「野菜」の部分とがマーカｍ１，ｍ２により識別表示される。そして、付箋印刷を指示すると、前記識別表示されたカナ読み「ヴェヂタブル」と意味「野菜」を、作成すべき付箋Ｌの貼付部Ｌｈ側となる意味エリアＬｓに展開させ、前記見出し語「vegetable」を、同作成すべき付箋Ｌの貼付部Ｌｈとは反対側となる見出しエリアＬｗに展開させた印刷書式の印刷データＳｃｐが生成され、前記付箋印刷機３０に送信される。【選択図】      図２
2018176749.tif 000002
【特許請求の範囲】
【請求項１】
見出しとその説明情報とを対応付けた複数の見出し説明情報を記憶している見出し説明記憶手段と、
ユーザ操作に応じて前記複数の見出し説明情報から何れかの見出しを検索する見出し検索手段と、
この見出し検索手段により検索された見出しに対応する説明情報を、作成対象である付箋の貼付部側のエリアに印刷させ、当該見出しを前記貼付部と反対側のエリアに印刷させるように制御する印刷制御手段と、
を備えたことを特徴とする印刷制御装置。
【請求項２】
前記印刷制御手段は、前記見出し検索手段により検索された見出しに対応する説明情報を作成対象である付箋の貼付部側のエリアに印刷させ、当該見出しを前記貼付部と反対側のエリアに印刷させ、前記説明情報のエリアと前記見出しのエリアとの間に折り線を印刷させるように制御し、前記説明情報のエリアは前記貼付部に対応して前記見出しのエリアより長く設定される、
ことを特徴とする請求項１に記載の印刷制御装置。
【請求項３】
前記印刷制御手段は、裏面が接着面である印刷用ラベルのおもて面に対して印刷させるように制御し、前記印刷させた折り線で山折りして付箋とした際に、前記見出しに対応する説明情報が、当該付箋の貼付部側のエリアに印刷されていて、前記見出しが当該付箋の貼付部と反対側のエリアに印刷されているように印刷制御する、
ことを特徴とする請求項２に記載の印刷制御装置。
【請求項４】
前記作成対象である付箋の貼付け位置をユーザ操作に応じて左側または右側に指定する貼付け位置指定手段を備え、
前記印刷制御手段は、前記貼付け位置指定手段により左側が指定された場合は、前記説明情報を印刷させる貼付部側のエリアが右側に、前記見出しを印刷させる前記貼付部と反対側のエリアが左側になるように制御し、前記貼付け位置指定手段により右側が指定された場合は、前記説明情報を印刷させる貼付部側のエリアが左側に、前記見出しを印刷させる前記貼付部と反対側のエリアが右側になるように制御する、
ことを特徴とする請求項１ないし請求項３の何れか１項に記載の印刷制御装置。
【請求項５】
前記見出し説明記憶手段は、見出しとその見出しの用法の文字列を含む説明情報とを対応付けた複数の見出し説明情報を記憶し、
前記見出し検索手段により検索された見出しに対応する説明情報の中から当該見出しの用法の説明情報を印刷内容として設定する用法設定手段を備え、
前記印刷制御手段は、前記用法設定手段により設定された前記見出しの用法の説明情報を、作成対象である付箋の貼付部側のエリアに印刷させ、当該見出しの用法の文字列を前記貼付部と反対側のエリアに印刷させるように制御する、
ことを特徴とする請求項１ないし請求項４の何れか１項に記載の印刷制御装置。
【請求項６】
前記見出し説明情報に含まれる見出しの用法の文字列は、当該見出しの単語と他の単語とを組合せた文字列からなり、
前記印刷制御手段は、前記用法設定手段により設定された前記見出しの用法の説明情報を、作成対象である付箋の貼付部側のエリアに印刷させ、当該見出しの用法の文字列と該文字列に組合された前記他の単語を除いた文字列とを前記貼付部と反対側のエリアに印刷させるように制御する、
ことを特徴とする請求項５に記載の印刷制御装置。
【請求項７】
前記印刷制御手段は、前記見出し検索手段により検索された見出しに対応する説明情報を、作成対象である付箋の貼付部側のエリアに印刷させ、当該見出しを前記貼付部と反対側のエリアに印刷させる印刷情報を生成し、この印刷情報を通信手段により外部の付箋印刷機に送信する印刷情報送信手段を有する、
ことを特徴とする請求項１ないし請求項６の何れか１項に記載の印刷制御装置。
【請求項８】
さらに、
前記付箋に対して印刷する付箋印刷手段、を備えたことを特徴とする請求項１ないし請求項７の何れか１項に記載の印刷制御装置。
【請求項９】
電子機器のコンピュータを制御するためのプログラムであって、
前記コンピュータを、
見出しとその説明情報とを対応付けた複数の見出し説明情報からユーザ操作に応じて何れかの見出しの説明情報を取得する説明情報取得手段、
前記説明情報取得手段により取得された説明情報を、作成対象である付箋の貼付部側のエリアに印刷させ、当該見出しを前記貼付部と反対側のエリアに印刷させるように制御する印刷制御手段、
として機能させるためのコンピュータ読み込み可能なプログラム。
【発明の詳細な説明】
【技術分野】
【０００１】
本発明は、付箋を作成するのに適した印刷制御装置およびその制御プログラムに関する。
【背景技術】
【０００２】
例えば語学の学習において、分からない単語とその意味とをカード状の紙の表と裏とに書き込んだ単語カードを作成して使用することが行われている。
【０００３】
また、教科書等の書籍において、その内容で注目すべき事柄があるページに対して、同事柄に関する説明や注意書き等の情報を書き込んだ付箋を貼り付けて使用することが行われている。
【０００４】
従来のテープ印字装置であって、第１言語（英語）を入力すると、入力された第１言語が第２言語（日本語）に翻訳され、当該第１言語と第２言語とが帯状のテープにその中央目安線も加えて順番に印刷される。この際、前記テープの先端部と後端部には、前記中央目安線で二つ折りすると重なる位置に綴じ込み用の綴じ穴が開口形成される。これにより、所望の単語カードを容易に作成することが考えられている（例えば、特許文献１参照。）。
【先行技術文献】
【特許文献】
【０００５】
【特許文献１】特開平０９−１０９４７０号公報
【発明の概要】
【発明が解決しようとする課題】
【０００６】
前記従来のテープ印字装置は、単語カードを容易に作成できるものの、当該単語カードは教科書等に付箋として貼り付けて使用できるものではない。
【０００７】
本発明は、このような課題に鑑みなされたもので、見出しとその説明情報とを付箋として適切に印刷することが可能になる印刷制御装置およびその制御プログラムを提供することを目的とする。
【課題を解決するための手段】
【０００８】
本発明に係る印刷制御装置は、見出しとその説明情報とを対応付けた複数の見出し説明情報を記憶している見出し説明記憶手段と、ユーザ操作に応じて前記複数の見出し説明情報から何れかの見出しを検索する見出し検索手段と、この見出し検索手段により検索された見出しに対応する説明情報を、作成対象である付箋の貼付部側のエリアに印刷させ、当該見出しを前記貼付部と反対側のエリアに印刷させるように制御する印刷制御手段と、を備えたことを特徴としている。
【発明の効果】
【０００９】
本発明によれば、見出しとその説明情報とを付箋として適切に印刷することが可能になる。
【図面の簡単な説明】
【００１０】
【図１】本発明の実施形態に係る印刷制御装置１０の電子回路の構成を示すブロック図。
【図２】前記印刷制御装置１０を電子辞書装置１０Ｄにより実現し前記付箋印刷機３０を制御して付箋Ｌを作成する場合の具体例を説明する図。
【図３】前記印刷制御装置１０の印刷制御処理（その１）を示すフローチャート。
【図４】前記印刷制御装置１０の印刷制御処理（その２）を示すフローチャート。
【図５】前記印刷制御装置１０の印刷制御処理（その１）に従った表示動作と付箋Ｌの印刷状態を示す図。
【図６】前記印刷制御装置１０の印刷制御処理（その１）に従い印刷されて作成された付箋Ｌの使用例を示す図。
【図７】前記印刷制御装置１０の印刷制御処理（その２）に従った表示動作と付箋Ｌの印刷状態を示す図。
【図８】前記印刷制御装置１０の印刷制御処理（その２）に従い作成された語義用法学習のための付箋Ｌの使用例を示す図。
【発明を実施するための形態】
【００１１】
以下図面により本発明の実施の形態について説明する。
【００１２】
図１は、本発明の実施形態に係る印刷制御装置１０の電子回路の構成を示すブロック図である。
【００１３】
この印刷制御装置１０は、各種の記録媒体に記録されたプログラム、又は、伝送されたプログラムを読み込んで、その読み込んだプログラムによって動作が制御されるコンピュータによって構成され、その電子回路には、ＣＰＵ１１が備えられる。
【００１４】
このＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネットＮ上のＷｅｂサーバ（この場合はプログラムサーバ）２０から通信部１５によりダウンロードされて前記メモリ１２に読み込まれた装置制御プログラムに応じて、回路各部の動作を制御する。
【００１５】
前記メモリ１２に記憶された装置制御プログラムは、キー入力部１６からのユーザ操作に応じた入力信号、タッチパネル式カラー表示部であるメイン画面１７やサブ画面１８からのユーザ操作に応じた入力信号、あるいは外部接続されるインターネットＮ上のＷｅｂサーバ２０との通信信号、あるいは記録媒体読取部１４を介して外部接続されるＥＥＰＲＯＭ，ＲＡＭ，ＲＯＭなどのメモリ・カード（記録媒体）１３との接続通信信号、あるいは外部接続される付箋印刷機３０との接続通信信号に応じて起動される。
【００１６】
前記ＣＰＵ１１には、前記メモリ１２、記録媒体読取部１４、通信部１５、キー入力部１６、メイン画面１７、サブ画面１８などが接続される。
【００１７】
前記メモリ１２に記憶される装置制御プログラムとしては、当該装置１０の全体の動作を司るシステムプログラム、外部接続されるインターネットＮ上の各Ｗｅｂサーバ２０…、ユーザＰＣ(Personal Computer)、前記付箋印刷機３０などとデータ通信するための通信プログラムが記憶される。
【００１８】
また、前記メモリ１２に記憶される各種辞書データの表示だけでなく、検索語（検索文字列）の入力に応じて見出し語を検索する（見出し語に対応する説明情報を取得する）見出し語検索処理（説明情報取得処理）、検索された見出し語に対応した説明情報を読み出して（取得された説明情報）それを表示する説明情報表示処理など、同メモリ１２内に記憶された辞書データベース１２ｂに基づく処理全般を制御するための表示制御処理プログラムが記憶される。
【００１９】
さらに、前記装置制御プログラムとしては、前記付箋印刷機３０を制御して、前記見出し語検索処理および説明情報表示処理により表示された見出し語とその説明情報とを書籍のページに貼り付けて使用する付箋（単語カード）Ｌとして適切に印刷するための印刷制御処理プログラム１２ａが記憶される。
【００２０】
前記辞書データベース１２ｂには、［初級英和辞典］［英和辞典］［英英辞典］…等が記憶される。
【００２１】
前記［初級英和辞典］は、例えば小中学校で学習する範囲の英語の見出し語とその説明情報とを対応付けて集録した初学者用の基本英和辞書である。
【００２２】
また、前記メモリ１２のワークエリアには、単語カードデータエリア１２ｃ、印刷データエリア１２ｄ等が確保される。
【００２３】
前記単語カードデータエリア１２ｃには、前記見出し語検索された見出し語の説明情報のうち、デフォルト又はユーザ操作に応じて、当該見出し語のカナ読み（又は発音記号）が（読み）の印刷事項として登録され、また当該見出し語の代表的語義が（意味）の印刷事項として登録される。
【００２４】
前記印刷データエリア１２ｄには、前記見出し語検索された見出し語と、前記単語カードデータエリア１２ｃの各印刷事項として登録された当該見出し語の（読み）と（意味）とを、前記付箋印刷機３０にセットされたラベルに対し付箋Ｌとして適切な印刷書式で印刷させるための印刷データが生成されて記憶される。
【００２５】
図２は、前記印刷制御装置１０を電子辞書装置１０Ｄにより実現し前記付箋印刷機３０を制御して付箋Ｌを作成する場合の具体例を説明する図である。
【００２６】
前記電子辞書装置１０Ｄのキー入力部１６には、文字入力キー１６ａ、辞書指定キー１６ｂ、［訳／決定］キー１６ｃ、［戻る］キー１６ｄ等が備えられる。
【００２７】
図２（Ａ）に示すように、前記電子辞書装置１０Ｄにより見出し語検索された見出し語「vegetable」の説明情報画面Ｇにおいて、カナ読み「ヴェジタブル」の部分を矢印ｘ１で示すようにペンタッチＰ１して指定しマーカｍ１により識別表示させ、また、代表的語義「野菜」の部分を矢印ｘ２で示すようにペンタッチＰ２して指定しマーカｍ２により識別表示させ、付箋Ｌの印刷を指示する。
【００２８】
すると、前記電子辞書装置１０Ｄにおいて、前記見出し語「vegetable」、前記カナ読み「ヴェジタブル」、前記代表的語義「野菜」を、図２（Ｂ）に示すような付箋印刷機（ラベルプリンタ）３０により、図２（Ｃ）に示すような付箋Ｌとしてラベルに印刷するための印刷データＳｃｐが生成され、当該付箋印刷機３０に出力される。
【００２９】
前記付箋印刷機３０には、各種動作モードの設定や手書きデータを入力して表示させるためのタッチパネル式表示部３１、印刷用紙となるラベルを内蔵したカセットが装着され当該カセット内のラベルを繰り出しながら前記印刷データＳｃｐを印刷するための印刷部３２、この印刷部３２で印刷したラベルを排出するためのラベル排出口３２ａが備えられる。
【００３０】
前記印刷用紙となるラベルは、その表面（おもて面）を印刷面、裏面を貼付面とし、当該貼付面には繰り返し着け剥しが可能な接着剤が塗布されて構成される。なお裏面に接着剤を塗布するのでなく、材料自体に粘着性を有する素材を裏面に用いてもよい。
【００３１】
前記電子辞書装置１０Ｄにおいて、前記印刷データＳｃｐは、前記ラベルの付箋Ｌとする一端から、前記見出し語を印刷する見出しエリアＬｗ、当該見出し語の（読み）と（意味）とを上下段に印刷する意味エリアＬｓの順で印刷書式が設定され、前記意味エリアＬｓの他端は書籍のページに貼付けて使用する貼付部Ｌｈに設定される。
【００３２】
前記見出しエリアＬｗと意味エリアＬｓと貼付部Ｌｈとは、次の関係を有して前記印刷書式が設定される。
【００３３】
意味エリア（Ｌｓ）−見出しエリア（Ｌｗ）＝貼付部（Ｌｈ）
そして、前記印刷データＳｃｐには、前記見出しエリアＬｗと意味エリアＬｓとの境界に、山折りの目印とする折り目線Ｒが挿入される。
【００３４】
これにより、前記印刷データＳｃｐの印刷書式に従い、見出しエリアＬｗに見出し語「vegetable」を、前記意味エリアＬｓにその（読み）「ヴェヂタブル」と（意味）「野菜」とを印刷した前記付箋Ｌにおいて、矢印Ｕに示すようにその折り目線Ｒで山折りし、図２（Ｄ）に示すように、前記見出しエリアＬｗを前記意味エリアＬｓの裏側に畳むと、前記貼付部Ｌｈの貼付面だけが裏側に露出し、例えば書籍のページの右側に貼り付けて使用できる。この場合、前記付箋Ｌを貼り付けたページを捲ることで、当該付箋Ｌの裏側に前記見出し語「vegetable」を確認できる。
【００３５】
前記図２（Ｃ）（Ｄ）で示した付箋Ｌの印刷書式は、前記ページの右側に貼り付けて使用する場合であるが、前記ページの左側に貼り付けて使用する場合には、当該印刷書式における見出しエリアＬｗと意味エリアＬｓの順番が逆になる。つまり、前記ラベルの付箋Ｌとする一端から、前記見出し語の（読み）と（意味）とを上下段に印刷する意味エリアＬｓ、前記見出し語を印刷する見出しエリアＬｗの順で印刷書式が設定され、前記意味エリアＬｓの一端が貼付部Ｌｈに設定される。
【００３６】
すなわち、前記図２（Ａ）〜図２（Ｄ）で示した具体例の場合、例えば英文書籍の右ページに記述された単語「vegetable」を、前記電子辞書装置１０Ｄにより見出し語検索して付箋Ｌの印刷を指示するだけで、非常に簡単に、その表面（おもて面）に前記単語「vegetable」の読み「ヴェヂタブル」と意味「野菜」とを印刷し、その裏面に当該見出し語「vegetable」を印刷した、前記右ページの右側に貼付けて使用する付箋Ｌを作成できる。
【００３７】
なお、前記印刷データＳｃｐには、図２（Ｃ）（Ｄ）で示すように、インターネットＮ上の辞書サーバ（Ｗｅｂサーバ２０）にある該当の辞書の見出し語「vegetable」のアドレス情報を示す二次元コードＱの印刷データも含めて付箋Ｌに印刷する。これにより、図２（Ｅ）に示すように、撮像部を備えたタブレット端末４０により前記付箋Ｌに印刷された二次元コードＱを撮影することで、当該タブレット端末４０により簡単に前記辞書サーバにアクセスして前記見出し語「vegetable」とその説明情報を取得し、その表示部４１に表示させたり、読みの音声「ヴェヂタブル」４２を出力させたりしてもよい。
【００３８】
このように構成された印刷制御装置１０は、前記ＣＰＵ１１が前記印刷制御処理プログラム１２ａに記述された命令に従い回路各部の動作を制御し、ソフトウエアとハードウエアとが協働して動作することにより、以下の動作説明で述べる付箋印刷の為の印刷制御機能を実現する。
【００３９】
次に、前記構成による印刷制御装置１０の動作について説明する。
【００４０】
（第１実施形態）
図３は、前記印刷制御装置１０の印刷制御処理（その１）を示すフローチャートである。
【００４１】
図４は、前記印刷制御装置１０の印刷制御処理（その２）を示すフローチャートである。
【００４２】
図５は、前記印刷制御装置１０の印刷制御処理（その１）に従った表示動作と付箋Ｌの印刷状態を示す図である。
【００４３】
ここでは仮に、前記図２で説明した場合と同様に、英語の教科書で分からない英単語「vegetable」を単語カードの付箋Ｌとして印刷する場合の具体例について説明する。
【００４４】
キー入力部１６の辞書指定キー１６ｂのユーザ操作に応じて辞書データベース１２ｂの［初級英和辞典］が指定されると、当該指定された辞書［初級英和辞典］の見出し語検索画面（図示せず）がメイン画面１７に表示される（ステップＳ１）。
【００４５】
この見出し語検索画面の検索語入力エリアに対して、ユーザ操作に応じて前記分からない英単語「vegetable」が検索文字列として入力されると（ステップＳ２）、当該入力された検索文字列が１単語であるか否（複数単語）かが判断される（ステップＳ３）。
【００４６】
前記入力された検索文字列「vegetable」が１単語であると判断されると（ステップＳ３（Ｙｅｓ））、当該検索文字列に一致する見出し語「vegetable」が前記指定の辞書［初級英和辞典］から検索されると共に、この検索された見出し語に対応する説明情報が読み出され、図５（Ａ）に示すように、説明情報画面Ｇとしてメイン画面１７に表示される（ステップＳ４）。
【００４７】
この際、図５（Ｂ）に示すように、前記説明情報画面Ｇに表示されている説明情報のうち、見出し語のカナ読み（又は発音記号）「ヴェヂタブル」がデフォルトで選択されマーカｍ１により識別表示されると共に、先頭の意味（代表語義）「野菜」もデフォルトで選択されマーカｍ２により識別表示される。
【００４８】
なお、前記デフォルトでマーカｍ２により識別表示された見出し語の意味（代表語義）
の部分は、前記単語カードの付箋Ｌに印刷したい部分としてユーザ操作に応じて任意に選択変更して設定できる。
【００４９】
すると、前記マーカｍ１により識別表示された前記見出し語のカナ読み（又は発音記号）「ヴェヂタブル」が読み出され、前記単語カードデータエリア１２ｃの（読み）の印刷事項に登録される（ステップＳ５）。
【００５０】
また、前記デフォルト又はユーザ操作に応じてマーカｍ２により識別表示された見出し語の意味（代表語義）「野菜」が読み出され、前記単語カードデータエリア１２ｃの（意味）の印刷事項に登録される（ステップＳ６）。
【００５１】
ここで、前記メイン画面１７の左端に表示されたアイコン表示エリア１７ａの［メモプリ］アイコンＭＰがペンタッチＰされることで付箋印刷が指示されたと判断されると（ステップＳ７（Ｙｅｓ））、作成すべき付箋Ｌの貼付け位置を前記ページの右側にするか左側にするかユーザに指定させるための右指定ボタンＳＲと左指定ボタンＳＬを備えた貼る位置指定ウインドウＷが生成され前記説明情報画面Ｇに表示される（ステップＳ８）。
【００５２】
この貼る位置指定ウインドウＷにおいて、左指定ボタンＳＬがペンタッチＰされ前記付箋Ｌの貼付け位置として左側が指定されたと判断されると（ステップＳ８（左側））、図５（ＣＬ）に示すような左側用の付箋Ｌを印刷して作成するための印刷データＳｃｐが生成され、前記付箋印刷機３０に送信される（ステップＳ９）。
【００５３】
この左側用の印刷データＳｃｐは、当該付箋Ｌの左側が前記見出し語「vegetable」を展開した見出しエリアＬｗ、同付箋Ｌの右側がその上段に前記単語カードデータエリア１２ｃに登録されたカナ読み「ヴェヂタブル」を展開し、その下段に前記単語カードデータエリア１２ｃに登録された意味「野菜」を展開した意味エリアＬｓとなる印刷書式の印刷データＳｃｐとして生成される。
【００５４】
この際、前記意味エリアＬｓ内の右端を貼付部Ｌｈとし、［意味エリアＬｓ−見出しエリアＬｗ＝貼付部Ｌｈ］となる印刷書式の印刷データＳｃｐが生成される。
【００５５】
なお、前記印刷データＳｃｐのうち、前記意味エリアＬｓと前記見出しエリアＬｗとの境界位置には折り目線Ｒの印刷データが付加され、また、前記意味エリアＬｓの上段部分には、該当の辞書の見出し語「vegetable」のアドレス情報を示す二次元コードＱの印刷データが付加される。
【００５６】
すると、前記付箋印刷機３０により前記印刷制御装置１０から受信された印刷データＳｃｐがその印刷部３２に装着されたラベルに印刷され、図５（ＣＬ）に示すような左側用の付箋Ｌが作成される。
【００５７】
前記作成された左側用の付箋Ｌは、矢印Ｕに示すようにその折り目線Ｒで山折りし、図５（ＤＬ）に示すように、前記見出しエリアＬｗを前記意味エリアＬｓの裏側に畳むことで、前記貼付部Ｌｈの貼付面だけが裏側に露出し、例えば書籍のページの左側に貼り付けて使用できる。
【００５８】
一方、前記貼る位置指定ウインドウＷにおいて、右指定ボタンＳＲがペンタッチＰされ前記付箋Ｌの貼付け位置として右側が指定されたと判断されると（ステップＳ８（右側））、図５（ＣＲ）に示すような右側用の付箋Ｌを印刷して作成するための印刷データＳｃｐが生成され、前記付箋印刷機３０に送信される（ステップＳ１０）。
【００５９】
この右側用の印刷データＳｃｐは、当該付箋Ｌの左側がその上段に前記単語カードデータエリア１２ｃに登録されたカナ読み「ヴェヂタブル」を展開し、その下段に前記単語カードデータエリア１２ｃに登録された意味「野菜」を展開した意味エリアＬｓ、同付箋Ｌの右側が前記見出し語「vegetable」を展開した見出しエリアＬｗとなる印刷書式の印刷データＳｃｐとして生成される。
【００６０】
この際、前記意味エリアＬｓ内の左端を貼付部Ｌｈとし、［意味エリアＬｓ−見出しエリアＬｗ＝貼付部Ｌｈ］となる印刷書式の印刷データＳｃｐが生成される。
【００６１】
なお、この右側指定の場合も前記左側指定の場合と同様に、前記印刷データＳｃｐのうち、前記意味エリアＬｓと前記見出しエリアＬｗとの境界位置には折り目線Ｒの印刷データが付加され、また、前記意味エリアＬｓの上段部分には、該当の辞書の見出し語「vegetable」のアドレス情報を示す二次元コードＱの印刷データが付加される。
【００６２】
すると、前記付箋印刷機３０により前記印刷制御装置１０から受信された印刷データＳｃｐがその印刷部３２に装着されたラベルに印刷され、図５（ＣＲ）に示すような右側用の付箋Ｌが作成される。
【００６３】
前記作成された右側用の付箋Ｌの場合も前記左側用の場合と同様に、矢印Ｕに示すようにその折り目線Ｒで山折りし、図５（ＤＲ）に示すように、前記見出しエリアＬｗを前記意味エリアＬｓの裏側に畳むことで、前記貼付部Ｌｈの貼付面だけが裏側に露出し、図５（ＥＲ）に示すように、例えば書籍の表ページＢａの右側に貼り付けて使用できる。
【００６４】
これによりユーザは、前記書籍の表ページＢａに含まれる分からない英単語「vegetable」の読みと意味とを、そのページＢａの右側に貼り付けた単語カードとしての付箋Ｌにより容易に確認して学習できる。また、図５（ＦＲ）に示すように、前記付箋Ｌを貼り付けた表ページＢａを捲って裏側から見ることで、前記見出し語「vegetable」を学習したページを一目で見つけることができる。
【００６５】
図６は、前記印刷制御装置１０の印刷制御処理（その１）に従い印刷されて作成された付箋Ｌの使用例を示す図である。
【００６６】
前記図５（Ａ）（Ｂ）（ＣＲ）（ＤＲ）（ＥＲ）（ＦＲ）に従い説明したように、書籍の右側の表ページＢａに記載されている分からない英単語「vegetable」について、右側用の付箋Ｌを印刷して作成すると、図６（Ａ）に示すように、当該表ページＢａの右側に前記作成した右側用の付箋Ｌを貼り付け、前記分からない英単語「vegetable」の読みと意味を示す単語カードとして使用できる。そして、前記付箋Ｌを貼り付けた表ページＢａを捲った裏ページＢｂ側から、前記英単語「vegetable」を学習したページを一目で見つけ出すことができる。
【００６７】
また、前記付箋Ｌの印刷制御に際して、前記単語カードデータエリア１２ｃに登録された検索見出し語「vegetable」に対応する読みの印刷事項「ヴェヂタブル」と意味の印刷事項「野菜」とに基づき、図６（Ｂ）に示すように、前記タッチパネル式表示部であるメイン画面１７をスペル入力画面ＧＤとして使用し、前記付箋Ｌに印刷された読みや意味に対応する英単語のスペルをペン入力Ｐし、その正解／不正解を判断表示させてスペル当て学習を行うこともできる。
【００６８】
さらに、図６（Ｃ）に示すように、書籍Ｂｏに貼り付けて使用した各付箋Ｌ１，Ｌ２，…が不要となった場合は、当該各付箋Ｌ１，Ｌ２，…を剥し、その貼付部Ｌｈの中央付近に綴じ孔Ｈを形成する。そして、前記各付箋Ｌ１，Ｌ２，…をその綴じ孔Ｈ…に通したリング状の綴じ部材Ｏを使用して綴じることで、各付箋Ｌ１，Ｌ２，…毎に、その意味エリアＬｓの読みと意味とに対応した見出しエリアＬｗの英単語を捲って確認可能な単語帳として利用できる。
【００６９】
（第２実施形態）
図７は、前記印刷制御装置１０の印刷制御処理（その２）に従った表示動作と付箋Ｌの印刷状態を示す図である。
【００７０】
前記メイン画面１７に表示された前記指定の辞書［初級英和辞典］の見出し語検索画面において（ステップＳ１）、その検索語入力エリアにユーザ操作に応じて入力された分からない英単語が、動詞と前置詞等の複数の単語として入力されたと判断されると（ステップＳ２，Ｓ３（Ｎｏ））、図４に示す語義・用法検索処理が行われる。
【００７１】
ここでは仮に、英単語「stay」の用法として分からない「stay with」について検索し、単語カードの付箋Ｌとして印刷する場合の具体例について説明する。
【００７２】
まず、前記検索語入力エリアに入力された検索文字列「stay with」のうち、動詞又は形容詞（ここでは動詞「stay」）に一致する見出し語が前記指定の辞書［初級英和辞典］から検索され、図７（Ａ）に示すように、検索された見出し語「stay」に対応する説明情報画面Ｇが前記メイン画面Ｇに表示される（ステップＳ１１）。
【００７３】
すると、前記見出し語「stay」の説明情報のうち、前記複数単語（ここでは動詞＋前置詞）として入力された検索文字列「stay with」に対応する用法の説明部分が検索され、図７（Ｂ）に示すように、当該検索された「stay with」の用法の説明部分までスクロールされた説明情報画面Ｇが表示される（ステップＳ１２）。
【００７４】
すると、前記見出し語「stay」の説明情報からそのカナ読み及び発音記号「stei ステイ」が読み出され、前記単語カードデータエリア１２ｃの（読み）の印刷事項に登録される（ステップＳ１３）。なお、通常の見出し語検索により英単語「stay」を検索して、その説明情報の中から、ユーザ操作により、所望の用法の説明部分（例えば「stay with」に対応する用法の説明部分）を表示させて、ユーザの登録操作により「stay with」の用法の説明部分を印刷事項として登録するようにしてもよい。
【００７５】
また、前記検索文字列「stay with」の用法の説明情報画面Ｇにおいて、当該用法の英語部分「stay with A」が赤マーカｍａにより識別表示され、前記単語カードデータエリア１２ｃの（英語部分）の印刷事項に登録される。さらに、当該用法の意味部分「A＜人＞の家に泊まる」が青マーカｍｂにより識別表示され、前記単語カードデータエリア１２ｃの（意味）の印刷事項に登録される（ステップＳ１４）。
【００７６】
ここで、前記メイン画面１７の［メモプリ］アイコンＭＰがペンタッチＰ１されることで付箋印刷が指示されたと判断されると（ステップＳ１５（Ｙｅｓ））、前記第１実施形態と同様の右指定ボタンＳＲと左指定ボタンＳＬを備えた貼る位置指定ウインドウＷが生成され前記説明情報画面Ｇに表示される（ステップＳ１６）。
【００７７】
この貼る位置指定ウインドウＷにおいて、左指定ボタンＳＬがペンタッチされ前記付箋Ｌの貼付け位置として左側が指定されたと判断されると（ステップＳ１６（左側））、図７（ＣＬ）に示すような左側用の付箋Ｌを印刷して作成するための印刷データＳｃｐが生成され、前記付箋印刷機３０に送信される（ステップＳ１７）。
【００７８】
この左側用の印刷データＳｃｐは、当該付箋Ｌの左側が、その下段に前記単語カードデータエリア１２ｃに登録された英語部分「stay with A」を展開し、その上段に同英語部分「stay with A」の前置詞等（ここでは「With」）を「？」マークに置き換えて展開した見出しエリアＬｗとなり、同付箋Ｌの右側が、その下段に前記単語カードデータエリア１２ｃに登録された読み「stei ステイ」を展開し、その上段に前記単語カードデータエリア１２ｃに登録された意味「A＜人＞の家に泊まる」を展開した意味エリアＬｓとなる印刷書式の印刷データＳｃｐとして生成される。
【００７９】
この際、前記第１実施形態と同様に、前記意味エリアＬｓ内の右端を貼付部Ｌｈとし、［意味エリアＬｓ−見出しエリアＬｗ＝貼付部Ｌｈ］となる印刷書式の印刷データＳｃｐが生成される。
【００８０】
なお、前記印刷データＳｃｐのうち、前記意味エリアＬｓと前記見出しエリアＬｗとの境界位置には折り目線Ｒの印刷データが付加され、また、前記意味エリアＬｓ内の下段部分の前記貼付部Ｌｈの開始位置には切れ目線Ｖの印刷データが付加される。
【００８１】
すると、前記付箋印刷機３０により前記印刷制御装置１０から受信された印刷データＳｃｐがその印刷部３２に装着されたラベルに印刷され、図７（ＣＬ）に示すような左側用の付箋Ｌが作成される。
【００８２】
一方、前記貼る位置指定ウインドウＷにおいて、右指定ボタンＳＲがペンタッチされ前記付箋Ｌの貼付け位置として右側が指定されたと判断されると（ステップＳ１６（右側））、図７（ＣＲ）に示すような右側用の付箋Ｌを印刷して作成するための印刷データＳｃｐが生成され、前記付箋印刷機３０に送信される（ステップＳ１８）。
【００８３】
この右側用の印刷データＳｃｐは、当該付箋Ｌの右側が、その下段に前記単語カードデータエリア１２ｃに登録された英語部分「stay with A」を展開し、その上段に同英語部分「stay with A」の前置詞等（ここでは「With」）を「？」マークに置き換えて展開した見出しエリアＬｗとなり、同付箋Ｌの左側が、その下段に前記単語カードデータエリア１２ｃに登録された読み「stei ステイ」を展開し、その上段に前記単語カードデータエリア１２ｃに登録された意味「A＜人＞の家に泊まる」を展開した意味エリアＬｓとなる印刷書式の印刷データＳｃｐとして生成される。
【００８４】
この際、前記第１実施形態と同様に、前記意味エリアＬｓ内の左端を貼付部Ｌｈとし、［意味エリアＬｓ−見出しエリアＬｗ＝貼付部Ｌｈ］となる印刷書式の印刷データＳｃｐが生成される。
【００８５】
なお、この右側指定の場合も前記左側指定の場合と同様に、前記印刷データＳｃｐのうち、前記意味エリアＬｓと前記見出しエリアＬｗとの境界には折り目線Ｒの印刷データが付加され、また、前記意味エリアＬｓ内の下段部分の前記貼付部Ｌｈの開始位置には切れ目線Ｖの印刷データが付加される。
【００８６】
すると、前記付箋印刷機３０により前記印刷制御装置１０から受信された印刷データＳｃｐがその印刷部３２に装着されたラベルに印刷され、図７（ＣＲ）に示すような右側用の付箋Ｌが作成される。
【００８７】
前記作成された右側用の付箋Ｌは、先ず、前記切れ目線Ｖで切れ目を入れ、矢印Ｕ１に示すように当該付箋Ｌの上段部分と下段部分とが表と裏とになるように山折りする。次に、矢印Ｕ２に示すように前記折り目線Ｒで山折りし、前記見出しエリアＬｗを前記意味エリアＬｓの裏側に畳むことで、前記貼付部Ｌｈの貼付面だけを裏側に露出させ、例えば書籍のページの左側に貼り付けて使用できる。
【００８８】
つまり、前記語義用法検索から作成した付箋Ｌは、その表面（おもて面）に意味エリアＬｓ上段の意味「A＜人＞の家に泊まる」が表記され、裏面に見出しエリアＬｗ上段の前置詞等を「？」マークに置き換えた用法の英語部分「stay ？ A」が表記された語義用法学習のための付箋Ｌになる。
【００８９】
図８は、前記印刷制御装置１０の印刷制御処理（その２）に従い作成された語義用法学習のための付箋Ｌの使用例を示す図である。
【００９０】
例えば、図８（Ａ）に示すように、英語の書籍の閲覧中のページＢａにユーザが分からない英単語「stay」の用法である単語の組合せ「stay with」がある場合に、当該ページＢａ上の単語の組合せ「stay with」の部分にマーカｍを引き、前記図７（Ａ）（Ｂ）（ＣＲ）で示したように右側用の付箋Ｌを印刷して作成する。
【００９１】
そして、この右側用の付箋Ｌを前記書籍のページＢａの右側に貼り付けて使用すると、前記マーカｍを引いた単語の組合せ「stay with」の意味「A＜人＞の家に泊まる」を当該付箋Ｌの意味エリア上段Ｌｓｕにて容易に確認でき、また図８（Ｂ）に示すように、前記ページＢａを捲ると、その裏ページＢｂの左側に反転した当該付箋Ｌの見出しエリア上段Ｌｗｕにおいて、前記単語の組合せの用法「stay with A」をその前置詞を抜かした穴あき問題「stay ？ A」として確認できる。
【００９２】
そしてさらに、図８（Ｃ）に示すように、前記付箋Ｌを折り目線Ｒから展開すると、その見出しエリア下段Ｌｗｄにおいて前記穴あき問題「stay ？ A」の前置詞「with」を確認できると共に、意味エリア下段Ｌｓｄにおいて前記単語「stay」のカナ読み及び発音記号「stei ステイ」を確認することができる。
【００９３】
すなわち、この第２実施形態の場合、例えば英文書籍のページＢａに記述された単語の組合せ「stay with」を検索文字列とし、前記印刷制御装置１０により語義・用法検索して付箋Ｌの印刷を指示するだけで、非常に簡単に、その表面（おもて面）に前記単語の組合せの用法「stay with A」の語義（意味）「A＜人＞の家に泊まる」を印刷し、その裏面に当該用法の文字列「stay with A」を印刷した付箋Ｌを作成できる。
【００９４】
これによりユーザは、前記書籍のページＢａに含まれる分からない英単語の組合せ「stay with」の語義と用法を、そのページＢａの右側又は左側に貼り付けた単語カード（語義・用法）としての前記付箋Ｌにより容易に確認して学習できる。
【００９５】
したがって、前記構成の印刷制御装置１０の付箋印刷制御機能によれば、ユーザが閲覧中の書籍のページに記述されている分からない単語「vegetable」を検索文字列として見出し語検索すると、ユーザ指定の辞書［初級英和辞典］から検索された見出し語「vegetable」の説明情報画面Ｇが表示され、当該説明情報から選択された前記見出し語「vegetable」のカナ読み「ヴェヂタブル」の部分と意味「野菜」の部分とがマーカｍ１，ｍ２により識別表示される。そして、付箋印刷を指示すると、前記識別表示されたカナ読み「ヴェヂタブル」と意味「野菜」を、作成すべき付箋Ｌの貼付部Ｌｈ側となる意味エリアＬｓに展開させ、前記見出し語「vegetable」を、同作成すべき付箋Ｌの貼付部Ｌｈとは反対側となる見出しエリアＬｗに展開させた印刷書式の印刷データＳｃｐが生成され、前記付箋印刷機３０に送信される。
【００９６】
そして、前記印刷データＳｃｐの印刷書式は、前記貼付部Ｌｈ側となる意味エリアＬｓよりもその反対側となる見出しエリアＬｗが当該貼付部Ｌｈの幅で短くなるように設定され、前記印刷データＳｃｐには、前記意味エリアＬｓと見出しエリアＬｗとの境界に対応して折り目線Ｒの印刷データが付加される。
【００９７】
これにより、閲覧中のページにある分からない単語を見出し語として見出し語検索し付箋印刷を指示するだけで、当該見出し語のカナ読みと意味からなる説明情報を前記貼付部Ｌｈ側に印刷し、また当該見出し語を前記貼付部Ｌｈと反対側に印刷した単語カードとしての付箋Ｌを作成できる。
【００９８】
よってユーザは、前記閲覧中のページにある分からない単語の読みと意味とを、そのページの端に貼り付けた単語カードとしての付箋Ｌにより容易に確認して学習できる。また、前記付箋Ｌを貼り付けたページを捲って裏側から見ることで、前記見出し語（分からない単語）を学習したページを一目で見つけることができる。
【００９９】
また、前記構成の印刷制御装置１０の付箋印刷制御機能によれば、前記見出し語検索された説明情報画面Ｇに表示させた貼る位置指定ウインドウＷにおいて、左側（ＳＬ）が指定された場合は、前記印刷すべき付箋Ｌの前記貼付部Ｌｈ側となる意味エリアＬｓが右側に、当該貼付部Ｌｈと反対側となる見出しエリアＬｗが左側となる印刷書式の印刷データＳｃｐが生成される。また反対に右側（ＳＲ）が指定された場合は、前記印刷すべき付箋Ｌの前記貼付部Ｌｈ側となる意味エリアＬｓが左側に、当該貼付部Ｌｈと反対側となる見出しエリアＬｗが右側となる印刷書式の印刷データＳｃｐが生成される。
【０１００】
これにより、前記分からない単語が書籍の右ページにある場合または左ページにある場合の何れであっても、当該分からない単語の単語カードとしての付箋Ｌを、前記右ページ又は左ページに適切に貼付けて使用できる右側用又は左側用の付箋Ｌとして作成できる。
【０１０１】
また、前記構成の印刷制御装置１０の第２実施形態の付箋印刷制御機能によれば、ユーザが閲覧中の書籍のページに記述されている分からない単語の組合せ「stay with」を検索文字列として語義・用法検索すると、当該単語の組合せのうち動詞又は形容詞を見出し語とした見出し語検索に基づき当該単語の組合せの用法「stay with A」の説明情報画面Ｇが表示され、当該説明情報から検索された前記用法の文字列「stay with A」の部分とその意味「A＜人＞の家に泊まる」の部分とがマーカｍａ，ｍｂにより識別表示される。そして、付箋印刷を指示すると、前記識別表示ｍｂされた意味「A＜人＞の家に泊まる」と前記見出し語検索した見出し語「Stay」の読み「stei ステイ」とを、作成すべき付箋Ｌの貼付部Ｌｈ側となる意味エリアＬｓの上段と下段とに展開させ、前記用法「stay with A」のうち前置詞等「with」を「？」に置き換えた穴あき問題「stay ？ A」と当該用法の文字列「stay with A」とを、同作成すべき付箋Ｌの貼付部Ｌｈとは反対側となる見出しエリアＬｗの上段と下段とに展開させた印刷書式の印刷データＳｃｐが生成され、前記付箋印刷機３０に送信される。
【０１０２】
そして、前記印刷データＳｃｐの印刷書式は、前記貼付部Ｌｈ側となる意味エリアＬｓよりもその反対側となる見出しエリアＬｗが当該貼付部Ｌｈの幅で短くなるように設定され、前記印刷データＳｃｐには、前記意味エリアＬｓと見出しエリアＬｗとの境界位置に対応して折り目線Ｒの印刷データが付加され、さらに当該意味エリアＬｓにおける前記貼付部Ｌｈの開始位置の下段のみに対応して切れ目線Ｖの印刷データが付加される。
【０１０３】
これにより、閲覧中のページにある分からない単語の組合せを語義・用法検索し付箋の印刷を指示するだけで、当該単語組合せの用法の意味と読みからなる説明情報を前記貼付部Ｌｈ側に印刷し、また当該用法の文字列を前記貼付部Ｌｈと反対側に印刷した単語カード（語義・用法）としての付箋Ｌを作成できる。
【０１０４】
なお、前記実施形態では、前記印刷制御装置１０（電子辞書装置１０Ｄ）自身での見出し語検索により取得した説明情報に基づき、付箋印刷の為の印刷書式の印刷データＳｃｐを生成し、通信部１５により外部の付箋印刷機３０に送信することで、分からない単語の説明と見出しを印刷した単語カードとしての付箋Ｌを作成する構成とした。
【０１０５】
これに対し、例えば前記付箋印刷機３０に前記印刷制御装置１０の付箋印刷制御機能を持たせ、当該付箋印刷機３０の単体で、前記同様に見出し語検索により取得した説明情報に基づき、付箋印刷の為の印刷書式の印刷データＳｃｐを生成しその印刷部３２に出力することで、分からない単語の説明と見出しを印刷した単語カードとしての付箋Ｌを作成する構成としてもよい。
【０１０６】
さらに、前記印刷制御装置１０の付箋印刷制御機能を通信機能付きのタブレット端末４０（図２（Ｅ）参照）に持たせることで、前記同様に、見出し語検索により取得した説明情報に基づき、付箋印刷の為の印刷書式の印刷データＳｃｐを生成し、外部の付箋印刷機３０に送信して前記単語カードとしての付箋Ｌを作成する構成としてもよい。この場合、前記見出し語検索は、内蔵メモリに記憶された辞書データベースに基づき行い当該見出し語の説明情報を取得してもよいし、ネットワークＮ上にある辞書検索サーバにアクセスし当該辞書検索サーバでの見出し語検索によりその説明情報を取得してもよい。
【０１０７】
また、前記実施形態において記載した印刷制御装置１０による各処理の手法およびデータベース、すなわち、図３，図４のフローチャートに示す印刷制御処理等の各手法、および辞書データベース１２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、タッチパネル式表示部（１７）を備えた電子機器のコンピュータは、この外部記録媒体１３に記憶されたプログラムをメモリ１２に読み込み、この読み込んだプログラムによって動作が制御されることにより、前記実施形態において説明した付箋印刷の為の印刷制御機能を実現し、前述した手法による同様の処理を実行することができる。
【０１０８】
また、前記各手法を実現するためのプログラムのデータは、プログラムコードの形態としてネットワークＮ上を伝送させることができ、このプログラムデータを、ネットワークＮに接続されたタッチパネル式表示部（１７）を備える電子機器のコンピュータに通信部１５によって取り込むことで、前述した付箋印刷の為の印刷制御機能を実現することもできる。
【０１０９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１０】
以下に、本願出願の当初の特許請求の範囲に記載された発明を付記する。
【０１１１】
［１］
見出しとその説明情報とを対応付けた複数の見出し説明情報を記憶している見出し説明記憶手段と、
ユーザ操作に応じて前記複数の見出し説明情報から何れかの見出しを検索する見出し検索手段と、
この見出し検索手段により検索された見出しに対応する説明情報を、作成対象である付箋の貼付部側のエリアに印刷させ、当該見出しを前記貼付部と反対側のエリアに印刷させるように制御する印刷制御手段と、
を備えたことを特徴とする印刷制御装置。
【０１１２】
［２］
前記印刷制御手段は、前記見出し検索手段により検索された見出しに対応する説明情報を作成対象である付箋の貼付部側のエリアに印刷させ、当該見出しを前記貼付部と反対側のエリアに印刷させ、前記説明情報のエリアと前記見出しのエリアとの間に折り線を印刷させるように制御し、前記説明情報のエリアは前記貼付部に対応して前記見出しのエリアより長く設定される、
ことを特徴とする［１］に記載の印刷制御装置。
【０１１３】
［３］
前記印刷制御手段は、裏面が接着面である印刷用ラベルのおもて面に対して印刷させるように制御し、前記印刷させた折り線で山折りして付箋とした際に、前記見出しに対応する説明情報が、当該付箋の貼付部側のエリアに印刷されていて、前記見出しが当該付箋の貼付部と反対側のエリアに印刷されているように印刷制御する、
ことを特徴とする［２］に記載の印刷制御装置。
【０１１４】
［４］
前記作成対象である付箋の貼付け位置をユーザ操作に応じて左側または右側に指定する貼付け位置指定手段を備え、
前記印刷制御手段は、前記貼付け位置指定手段により左側が指定された場合は、前記説明情報を印刷させる貼付部側のエリアが右側に、前記見出しを印刷させる前記貼付部と反対側のエリアが左側になるように制御し、前記貼付け位置指定手段により右側が指定された場合は、前記説明情報を印刷させる貼付部側のエリアが左側に、前記見出しを印刷させる前記貼付部と反対側のエリアが右側になるように制御する、
ことを特徴とする［１］ないし［３］の何れかに記載の印刷制御装置。
【０１１５】
［５］
前記見出し説明記憶手段は、見出しとその見出しの用法の文字列を含む説明情報とを対応付けた複数の見出し説明情報を記憶し、
前記見出し検索手段により検索された見出しに対応する説明情報の中から当該見出しの用法の説明情報を印刷内容として設定する用法設定手段を備え、
前記印刷制御手段は、前記用法設定手段により設定された前記見出しの用法の説明情報を、作成対象である付箋の貼付部側のエリアに印刷させ、当該見出しの用法の文字列を前記貼付部と反対側のエリアに印刷させるように制御する、
ことを特徴とする［１］ないし［４］の何れかに記載の印刷制御装置。
【０１１６】
［６］
前記見出し説明情報に含まれる見出しの用法の文字列は、当該見出しの単語と他の単語とを組合せた文字列からなり、
前記印刷制御手段は、前記用法設定手段により設定された前記見出しの用法の説明情報を、作成対象である付箋の貼付部側のエリアに印刷させ、当該見出しの用法の文字列と該文字列に組合された前記他の単語を除いた文字列とを前記貼付部と反対側のエリアに印刷させるように制御する、
ことを特徴とする［５］に記載の印刷制御装置。
【０１１７】
［７］
前記印刷制御手段は、前記見出し検索手段により検索された見出しに対応する説明情報を、作成対象である付箋の貼付部側のエリアに印刷させ、当該見出しを前記貼付部と反対側のエリアに印刷させる印刷情報を生成し、この印刷情報を通信手段により外部の付箋印刷機に送信する印刷情報送信手段を有する、
ことを特徴とする［１］ないし［６］の何れかに記載の印刷制御装置。
【０１１８】
［８］
さらに、
前記付箋に対して印刷する付箋印刷手段、を備えたことを特徴とする［１］ないし［７］の何れかに記載の印刷制御装置。
【０１１９】
［９］
電子機器のコンピュータを制御するためのプログラムであって、
前記コンピュータを、
見出しとその説明情報とを対応付けた複数の見出し説明情報からユーザ操作に応じて何れかの見出しの説明情報を取得する説明情報取得手段、
前記説明情報取得手段により取得された説明情報を、作成対象である付箋の貼付部側のエリアに印刷させ、当該見出しを前記貼付部と反対側のエリアに印刷させるように制御する印刷制御手段、
として機能させるためのコンピュータ読み込み可能なプログラム。
【符号の説明】
【０１２０】
１０  …印刷制御装置
１０Ｄ…電子辞書装置
１１  …ＣＰＵ
１２  …メモリ
１２ａ…印刷制御処理プログラム
１２ｂ…辞書データベース
１２ｃ…単語カードデータエリア
１２ｄ…印刷データエリア
１３  …外部記録媒体
１４  …記録媒体読取部
１５  …通信部
１６  …キー入力部
１７  …メイン画面（タッチパネル式）
２０  …Ｗｅｂサーバ
３０  …付箋印刷機
Ｎ    …ネットワーク
Ｇ    …説明情報画面
Ｗ    …貼る位置指定ウインドウ
Ｌ    …付箋
Ｌｈ  …貼付部
Ｌｓ  …意味エリア
Ｌｗ  …見出しエリア
Ｒ    …折り目線
Ｑ    …二次元コード
【図１】
2018176749.tif 000003
【図２】
2018176749.tif 000004
【図３】
2018176749.tif 000005
【図４】
2018176749.tif 000006
【図５】
2018176749.tif 000007
【図６】
2018176749.tif 000008
【図７】
2018176749.tif 000009
【図８】
2018176749.tif 000010
【手続補正書】
【提出日】平成30年6月18日(2018.6.18)
【手続補正１】
【補正対象書類名】明細書
【補正対象項目名】０００８
【補正方法】変更
【補正の内容】
【０００８】
本発明に係る印刷制御装置は、複数の見出し説明情報から何れかの見出しを検索する見出し検索手段と、作成対象である付箋の貼付部側のエリア及び前記貼付部と反対側のエリアの一方に、検索された前記見出しを含む複数の単語を組合せた文字列を意味する翻訳部分を印刷させるとともに、前記貼付部側のエリア及び前記貼付部と反対側のエリアの他方に、検索された前記見出しを含む複数の単語を組合せた文字列のうち、前記見出し以外の少なくとも１つの単語の部分が表記されないよう印刷させるよう制御する印刷制御手段と、を備えたことを特徴としている。
【手続補正２】
【補正対象書類名】明細書
【補正対象項目名】０１１０
【補正方法】削除
【補正の内容】
【手続補正３】
【補正対象書類名】明細書
【補正対象項目名】０１１１
【補正方法】削除
【補正の内容】
【手続補正４】
【補正対象書類名】明細書
【補正対象項目名】０１１２
【補正方法】削除
【補正の内容】
【手続補正５】
【補正対象書類名】明細書
【補正対象項目名】０１１３
【補正方法】削除
【補正の内容】
【手続補正６】
【補正対象書類名】明細書
【補正対象項目名】０１１４
【補正方法】削除
【補正の内容】
【手続補正７】
【補正対象書類名】明細書
【補正対象項目名】０１１５
【補正方法】削除
【補正の内容】
【手続補正８】
【補正対象書類名】明細書
【補正対象項目名】０１１６
【補正方法】削除
【補正の内容】
【手続補正９】
【補正対象書類名】明細書
【補正対象項目名】０１１７
【補正方法】削除
【補正の内容】
【手続補正１０】
【補正対象書類名】明細書
【補正対象項目名】０１１８
【補正方法】削除
【補正の内容】
【手続補正１１】
【補正対象書類名】明細書
【補正対象項目名】０１１９
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
複数の見出し説明情報から何れかの見出しを検索する見出し検索手段と、
作成対象である付箋の貼付部側のエリア及び前記貼付部と反対側のエリアの一方に、検索された前記見出しを含む複数の単語を組合せた文字列を意味する翻訳部分を印刷させるとともに、前記貼付部側のエリア及び前記貼付部と反対側のエリアの他方に、検索された前記見出しを含む複数の単語を組合せた文字列のうち、前記見出し以外の少なくとも１つの単語の部分が表記されないよう印刷させるよう制御する印刷制御手段と、
を備えたことを特徴とする印刷制御装置。
【請求項２】
前記貼付部ではないエリアに、前記見出しを含む複数の単語を組合せた文字列を印刷させるよう制御する、
ことを特徴とする請求項１に記載の印刷制御装置。
【請求項３】
前記貼付部ではないエリアに、前記見出しの発音記号を印刷させるよう制御する、
ことを特徴とする請求項１または２に記載の印刷制御装置。
【請求項４】
前記翻訳部分と、前記見出しを含む複数の単語を組合せた文字列のうち、少なくとも１つの単語の部分が表記されない部分との間に折り線を印刷させるように制御する、
ことを特徴とする請求項１ないし請求項３の何れか１項に記載の印刷制御装置。
【請求項５】
さらに、
前記付箋に対して印刷する付箋印刷手段、を備えたことを特徴とする請求項１ないし請求項４の何れか１項に記載の印刷制御装置。
【請求項６】
電子機器のコンピュータを制御するためのプログラムであって、
前記コンピュータを、
複数の見出し説明情報から何れかの見出しを検索する見出し検索手段と、
作成対象である付箋の貼付部側のエリア及び前記貼付部と反対側のエリアの一方に、検索された前記見出しを含む複数の単語を組合せた文字列を意味する翻訳部分を印刷させるとともに、前記貼付部側のエリア及び前記貼付部と反対側のエリアの他方に、検索された前記見出しを含む複数の単語を組合せた文字列のうち、前記見出し以外の少なくとも１つの単語の部分が表記されないよう印刷させるよう制御する印刷制御手段と、
として機能させるためのコンピュータ読み込み可能なプログラム。